(57)【要約】【課題】  本発明は舗装した場合、面取りによる凹部ができることなく、無振動、無騒音で車椅子、ベビーカー、車が走行できるとともに、基層部よりも底層部が高い曲げ強度にでき、ブロックの欠けや割れを低減させることができ、耐久性の高い、良好な路面性状を維持することができる舗装用ブロックを得るにある。【解決手段】  コンクリートで形成された基層部となる舗装用ブロック本体と、この舗装用ブロック本体の底面にモルタルあるいは水セメント比の小さい高強度モルタルで一体形成された底層部とで舗装用ブロックを構成している。【選択図】  図２
2007239407.tif 000002
【特許請求の範囲】
【請求項１】
コンクリートで形成された基層部となる舗装用ブロック本体と、この舗装用ブロック本体の底面にモルタルあるいは水セメント比の小さい高強度モルタルで一体形成された底層部とからなることを特徴とする舗装用ブロック。
【請求項２】
コンクリートで保水性や透水性を有するように形成された基層部となる舗装用ブロック本体と、この舗装用ブロック本体の底面に角部が面取りされたモルタルあるいは水セメント比の小さい高強度モルタルで一体形成された底層部とからなることを特徴とする舗装用ブロック。
【請求項３】
コンクリートで形成された基層部となる舗装用ブロック本体と、この舗装用ブロック本体の底面に角部が面取りされた繊維補強モルタルや高性能減水材あるいは高強度混和材を混合した高強度モルタルで一体形成された底層部とからなることを特徴とする舗装用ブロック。
【請求項４】
コンクリートで形成された基層部となる舗装用ブロック本体と、この舗装用ブロック本体の底面にモルタルあるいは水セメント比の小さい高強度モルタルで一体形成された底層部と、この底層部の底面に形成されたクッション砂の移動を防止する凹部とからなることを特徴とする舗装用ブロック。
【請求項５】
コンクリートで形成された基層部となる舗装用ブロック本体と、この舗装用ブロック本体のそれぞれの外周面に、上面から底面近傍まで一体形成された目地部を所定寸法にするための複数個の目地キープ用突片と、前記舗装用ブロック本体の底面に角部が面取りされたモルタルあるいは水セメント比の小さい高強度モルタルで一体形成された底層部とからなることを特徴とする舗装用ブロック。
【発明の詳細な説明】
【技術分野】
【０００１】
本発明は舗装用ブロックに関する。
【背景技術】
【０００２】
従来の舗装用ブロックはコンクリートで形成された基層部となる舗装用ブロック本体と、この舗装用ブロック本体の上面に角部が面取りされたモルタルで形成された表層部とで構成されている。
【０００３】
このため、歩道、駐車場、遊歩道、公園の園路等に設置された場合、舗装用ブロックの表層部の面取り部が凹部となって車椅子やベビーカーに振動を与え、スムーズで安眠の走行ができず、また、車道に適用した場合、車走行時の騒音が大きくなるという欠点があった。
さらに、基層部よりも美観を損なうだけでなく、維持管理に費用や手間がかかるという表層部の強度が低いため、車両の通行等によりブロックに欠けが生じることがあり、欠点もあった。
【特許文献１】特になし
【発明の開示】
【発明が解決しようとする課題】
【０００４】
本発明は以上のような従来の欠点に鑑み、舗装した場合、ブロック表面に面取りによる凹部ができることなく、無振動、無騒音で車椅子、ベビーカー、車が走行できるとともに、基層部よりも底層部が高い曲げ強度にでき、ブロックの欠けや割れを低減させることができ、耐久性の高い、良好な路面性状を維持することができる舗装用ブロックを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はコンクリートで形成された基層部となる舗装用ブロック本体と、この舗装用ブロック本体の底面にモルタルあるいは水セメント比の小さい高強度モルタルで一体形成された底層部とで舗装用ブロックを構成している。
【０００７】
本発明はコンクリートで保水性や透水性を有するように形成された基層部となる舗装用ブロック本体と、この舗装用ブロック本体の底面に角部が面取りされたモルタルあるいは水セメント比の小さい高強度モルタルで一体形成された底層部とで舗装用ブロックを構成している。
【０００８】
本発明はコンクリートで形成された基層部となる舗装用ブロック本体と、この舗装用ブロック本体の底面に角部が面取りされた繊維補強モルタルや高性能減水材あるいは高強度混和材を混合した高強度モルタルで一体形成された底層部とで舗装用ブロックを構成している。
【０００９】
本発明はコンクリートで形成された基層部となる舗装用ブロック本体と、この舗装用ブロック本体の底面にモルタルあるいは水セメント比の小さい高強度モルタルで一体形成された底層部と、この底層部の底面に形成されたクッション砂の移動を防止する凹部とで舗装用ブロックを構成している。
【００１０】
本発明はコンクリートで形成された基層部となる舗装用ブロック本体と、この舗装用ブロック本体のそれぞれの外周面に、上面から底面近傍まで一体形成された目地部を所定寸法にするための複数個の目地キープ用突片と、前記舗装用ブロック本体の底面に角部が面取りされたモルタルあるいは水セメント比の小さい高強度モルタルで一体形成された底層部とで舗装用ブロックを構成している。
【発明の効果】
【００１１】
以上の説明から明らかなように、本発明にあっては次に列挙する効果が得られる。
【００１２】
（１）コンクリートで形成された基層部となる舗装用ブロック本体と、この舗装用ブロック本体の底面にモルタルあるいは水セメント比の小さい高強度モルタルで一体形成された底層部とで構成されているので、底層部の引張り強度が基層部の舗装用ブロック本体よりも高い曲げ強度にできる。
したがって、ブロックの欠けを低減できるため、長期間に渡り美観を維持でき、維持補修費も大幅に低減することができる。
【００１３】
（２）前記（１）によって、舗装用ブロック間に面取りによる凹部が生じることなく敷設することができる。
したがって、無振動、無騒音で車椅子、ベビーカー、車が走行できる。
【００１４】
（３）前記（１）によって、構造が簡単で、安価に製造することができる。
【００１５】
（４）請求項２も前記（１）〜（３） と同様な効果が得られるとともに、舗装用ブロック本体が保水性や透水性を有するため、保水や透水効果が得られる。
【００１６】
（５）請求項３も前記（１）〜（３） と同様な効果が得られるとともに、より高い曲げ強度が得られる。
【００１７】
（６）請求項４も前記（１）〜（３） と同様な効果が得られるとともに、底面に形成された凹部によって、敷設された舗装用ブロックの移動を効率よく防止することができる。
【００１８】
（７）請求項５も前記（１）〜（３） と同様な効果が得られるとともに、目地キープ用突片により、確実に目地をキープするとともに、隣りの舗装用ブロックの目地キープ用突片と当接状態で敷設すると、舗装用ブロックの移動を確実に防止することができる。
【発明を実施するための最良の形態】
【００１９】
以下、図面に示す本発明を実施するための最良の形態により、本発明を詳細に説明する。
【００２０】
図１ないし図８に示す本発明を実施するための最良の第１の形態において、１は曲げ強度が７Ｎ／ｍｍ2以上を有する本発明の舗装用ブロックで、この舗装用ブロック１は、例えば２００ｍｍ×１００ｍｍ×５２〜５０ｍｍの長方形状にコンクリートで形成された基層部となる舗装用ブロック本体２と、この舗装用ブロック本体２の底面に角部が面取り３された、厚さが８〜１０ｍｍのモルタルあるいは水セメント比の小さい高強度モルタルで一体形成された底層部４と、前記舗装用ブロック本体２の各外周部に上面から底面近傍まで一体形成された、敷設時に隣り合う舗装用ブロック１と一定間隔の配置となる幅寸法が１０〜３０ｍｍ、厚さが１．０〜２．０ｍｍの目地キープ用突片５、５、５、５と、この目地キープ用突片５、５、５、５の近傍の上部位置にだけ形成された、幅寸法が１０〜３０ｍｍ、厚さが１．０〜２．０ｍｍの補助目地キープ用突片６、６、６、６とで構成されている。
【００２１】
上記構成の舗装用ブロック１は図１ないし図３に示すように、路盤層７の上面に砂を用いて形成したサンドクッション層８の上部に、隣り合う舗装用ブロック１、１、１、１、１の目地キープ用突片５、５、５、５および補助目地キープ用突片６、６、６、６がそれぞれ舗装用ブロック１、１、１、１、１の外壁面に当接するように敷設して使用する。
このように敷設された舗装用ブロック１は、舗装用ブロック１間に従来のような面取りによる凹部ができず、無振動、無騒音で、車椅子、ベビーカー、車が走行できる。
また、モルタルで形成された底層部４によって、従来よりも高い曲げ強度が得られ、高い耐久性が容易に、安価に得られる。
[発明を実施するための異なる形態]
【００２２】
次に、図９ないし図２８に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２３】
図９ないし図１２示す本発明を実施するための第２の形態において、前記本発明を実施するための最良の第１の形態と主に異なる点は、舗装用ブロック本体２の上面にモルタルで薄い層となる表層９を形成した点で、このような表層９を形成した舗装用ブロック１Ａにしても、前記本発明を実施するための最良の第１の形態と同様な作用効果が得られる。
【００２４】
図１３ないし図１５に示す本発明を実施するための第３の形態において、前記本発明を実施するための最良の第１の形態と主に異なる点は、保水性や透水性を有する舗装用ブロック本体２Ａを用いた点で、このような舗装用ブロック本体２Ａを用いて構成した舗装用ブロック１Ｂにしても、前記本発明を実施するための最良の第１の形態と同様な作用効果が得られるとともに、保水性、透水性を有する舗装にできる。
【００２５】
図１６ないし図１８に示す本発明を実施するための第４の形態において、前記本発明を実施するための最良の第１の形態と主に異なる点は、繊維補強モルタルや高性能減水材あるいは高強度混和材を混合した高強度モルタルを用いて底層部４Ａを舗装用ブロック本体２に一体形成した点で、このような底層部４Ａを用いて構成した舗装用ブロック１Ｃにしても、前記本発明を実施するための最良の第１の形態と同様な作用効果が得られるとともに、より高い曲げ強度が得られる。
【００２６】
図１９ないし図２３に示す本発明を実施するための第５の形態において、前記本発明を実施するための最良の第１の形態と主に異なる点は、底面の中央部を除く部位に、深さが１〜４ｍｍのクッション砂の移動を防止する四角形状の凹部１０、１０を形成した底層部４Ｂを用いた点で、このように底面に凹部１０、１０を形成した底層部４Ｂを用いて構成した舗装用ブロック１Ｄにしても、前記本発明を実施するための最良の第１の形態と同様な作用効果が得られるとともに、クッション砂が舗装用ブロック上を走行する車両等によって荷重を受けて細粒化した砂粒子を凹部１０、１０に導くことができる。このため、従来のように細粒化した砂粒子が舗装用ブロック上を走行する車両等によって荷重が加わり、その荷重が無くなるような動作で、ポンピング現象が生じ、砂粒子が目地部より上方へ噴出する移動を効率よく防止することができる。
【００２７】
図２４ないし図２８に示す本発明を実施するための第６の形態において、前記本発明を実施するための第５の形態と主に異なる点は底面に４個の凹部１０Ａ、１０Ａ、１０Ａ、１０Ａを形成した底層部４Ｃ用いた点で、このような底面に４個の凹部１０Ａ、１０Ａ、１０Ａ、１０Ａを形成した底層部４Ｃを用いて構成した舗装用ブロック１Ｅにしても、前記本発明を実施するための第５の形態と同様な作用効果が得られる。
【００２８】
なお、舗装用ブロック１、１Ａ、１Ｂ、１Ｃ、１Ｄ、１Ｅを着色する場合、舗装用ブロック本体および底層部に同様な着色顔料あるいは骨材を用い、製造上の色むらを防ぐ。
また、舗装用ブロック本体を透水性のものを用いる場合には、底層部を非透水性のものを用いたり、舗装用ブロック本体を保水性のものを用いる場合には、底層部を透水性のものを用いたりしてもよい。
さらに、前記本発明を実施するための各形態では、底層部４の底面に角部が面取り３されたものについて説明したが、本発明はこれに限らず、面取りされていないものであっても良い。
【産業上の利用可能性】
【００２９】
本発明は舗装用ブロックを製造する産業で利用される。
【図面の簡単な説明】
【００３０】
【図１】本発明を実施するための最良の第１の形態の使用状態の平面図。
【図２】図１の２−２線に沿う拡大断面図。
【図３】図１の３−３線に沿う拡大断面図。
【図４】本発明を実施するための最良の第１の形態の平面図。
【図５】本発明を実施するための最良の第１の形態の正面図。
【図６】本発明を実施するための最良の第１の形態の側面図。
【図７】本発明を実施するための最良の第１の形態の底面図。
【図８】本発明を実施するための最良の第１の形態の断面図。
【図９】本発明を実施するための第２の形態の平面図。
【図１０】本発明を実施するための第２の形態の正面図。
【図１１】本発明を実施するための第２の形態の側面図。
【図１２】図９の１２−１２線に沿う断面図。
【図１３】本発明を実施するための第３の形態の平面図。
【図１４】本発明を実施するための第３の形態の正面図。
【図１５】本発明を実施するための第３の形態の側面図。
【図１６】本発明を実施するための第４の形態の平面図。
【図１７】本発明を実施するための第４の形態の正面図。
【図１８】本発明を実施するための第４の形態の側面図。
【図１９】本発明を実施するための第５の形態の平面図。
【図２０】本発明を実施するための第５の形態の正面図。
【図２１】本発明を実施するための第５の形態の側面図。
【図２２】本発明を実施するための第５の形態の底面図。
【図２３】図１９の２３−２３線に沿う断面図。
【図２４】本発明を実施するための第６の形態の平面図。
【図２５】本発明を実施するための第６の形態の正面図。
【図２６】本発明を実施するための第６の形態の側面図。
【図２７】本発明を実施するための第６の形態の底面図。
【図２８】図２４の２８−２８線に沿う断面図。
【符号の説明】
【００３１】
１、１Ａ、１Ｂ、１Ｃ、１Ｄ、１Ｅ：舗装用ブロック、
２、２Ａ：舗装用ブロック本体、３：面取り、
４、４Ａ、４Ｂ、４Ｃ：底層部、５：目地キープ用突片、
６：補助目地キープ用突片、    ７：路盤層、
８：サンドクッション層、      ９：表層、
１０、１０Ａ：凹部。
【図１】
2007239407.tif 000003
【図２】
2007239407.tif 000004
【図３】
2007239407.tif 000005
【図４】
2007239407.tif 000006
【図５】
2007239407.tif 000007
【図６】
2007239407.tif 000008
【図７】
2007239407.tif 000009
【図８】
2007239407.tif 000010
【図９】
2007239407.tif 000011
【図１０】
2007239407.tif 000012
【図１１】
2007239407.tif 000013
【図１２】
2007239407.tif 000014
【図１３】
2007239407.tif 000015
【図１４】
2007239407.tif 000016
【図１５】
2007239407.tif 000017
【図１６】
2007239407.tif 000018
【図１７】
2007239407.tif 000019
【図１８】
2007239407.tif 000020
【図１９】
2007239407.tif 000021
【図２０】
2007239407.tif 000022
【図２１】
2007239407.tif 000023
【図２２】
2007239407.tif 000024
【図２３】
2007239407.tif 000025
【図２４】
2007239407.tif 000026
【図２５】
2007239407.tif 000027
【図２６】
2007239407.tif 000028
【図２７】
2007239407.tif 000029
【図２８】
2007239407.tif 000030